(57)【特許請求の範囲】
【請求項１】
表示部を備えている地図表示装置において、
現在の位置データを取得する位置データ取得手段と、
この位置データ取得手段により取得した現在の位置データを外部の電子機器へ送信するとともに、この現在の位置データに対応する地図データを要求するためのデータ要求信号を前記外部の電子機器へ送信する送信手段と、
この送信手段により送信されたデータ要求信号に従って、前記外部の電子機器から送信された地域図と、当該地域図を特定するアルファベットと数値とからなる記号データとを前記外部の電子機器から受信する受信手段と、
この受信手段により受信された地域図と前記当該地域図を特定するアルファベットと数値とからなる記号データとを前記表示部に表示させる表示制御手段と、
を備えることを特徴とする地図表示装置。
【請求項２】
表示部を備えている地図表示装置において、
現在の位置データを取得する位置データ取得手段と、
この位置データ取得手段により取得した現在の位置データを外部の電子機器へ送信するとともに、この現在の位置データに対応する地図データを要求するためのデータ要求信号を前記外部の電子機器へ送信する送信手段と、
この送信手段により送信されたデータ要求信号に従って、前記外部の電子機器から送信された地域図と、当該地域図を特定するアルファベットと数値とからなる記号データと、当該地域図が記載されている地図帳のページを示すページ番号とを前記外部の電子機器から受信する受信手段と、
この受信手段により受信された地域図と、前記当該地域図を特定するアルファベットと数値とからなる記号データと、当該地域図が記載されている地図帳のページを示すページ番号とを前記表示部に表示させる表示制御手段と、
を備えることを特徴とする地図表示装置。
【発明の詳細な説明】
【０００１】
【発明の属する技術分野】
本発明は、地図表示装置に関する。
【０００２】
【従来の技術】
従来、現在位置を検出してこれを表示する装置として、携帯型のＧＰＳ機器が知られている。この携帯型のＧＰＳ機器は、ＧＰＳモジュールと地図データ記憶部及び表示部とを備え、ＧＰＳモジュールにより衛星からのＧＰＳ情報に基づき現在位置の緯度・経度データを取得する。そして、表示部に地図データに基づく地図を表示するとともに、地図上に現在位置の緯度・経度データに基づく現在位置を表示するものである。
【０００３】
【発明が解決しようとする課題】
しかしながら、ＧＰＳ機器にはＧＰＳモジュールと地図データ記憶部及び表示部等を設けることが不可欠であり、地図データ記憶部には複数枚のＣＤが装填される。したがって、携帯型とはいえどもＧＰＳ機器の機器本体は大型とならざるを得ず、携帯時には鞄等に入れて持ち運ぶこととなる。したがって、現在位置を確認する際には、その都度鞄等から機器本体を取り出した後、表示部に表示されている現在位置を視認しなければならず、その操作が煩雑となってしまうのみならず、迅速に位置確認を行うことができない。
【０００４】
本発明はかかる従来の実情に鑑みなされたものであり、容易かつ迅速に位置確認を行うことが可能な地図表示装置を提供することを目的とする。
【００１１】
【課題を解決するための手段】
請求項１記載の発明に係る地図表示装置にあっては、表示部を備えている地図表示装置において、現在の位置データを取得する位置データ取得手段と、この位置データ取得手段により取得した現在の位置データを外部の電子機器へ送信するとともに、この現在の位置データに対応する地図データを要求するためのデータ要求信号を前記外部の電子機器へ送信する送信手段と、この送信手段により送信されたデータ要求信号に従って、前記外部の電子機器から送信された地域図と、当該地域図を特定するアルファベットと数値とからなる記号データとを前記外部の電子機器から受信する受信手段と、この受信手段により受信された地域図と前記当該地域図を特定するアルファベットと数値とからなる記号データとを前記表示部に表示させる表示制御手段とを備えることを特徴とする。
【００１２】
また、請求項２記載の発明に係る地図表示装置にあっては、表示部を備えている地図表示装置において、現在の位置データを取得する位置データ取得手段と、この位置データ取得手段により取得した現在の位置データを外部の電子機器へ送信するとともに、この現在の位置データに対応する地図データを要求するためのデータ要求信号を前記外部の電子機器へ送信する送信手段と、この送信手段により送信されたデータ要求信号に従って、前記外部の電子機器から送信された地域図と、当該地域図を特定するアルファベットと数値とからなる記号データと、当該地域図が記載されている地図帳のページを示すページ番号とを前記外部の電子機器から受信する受信手段と、この受信手段により受信された地域図と、前記当該地域図を特定するアルファベットと数値とからなる記号データと、当該地域図が記載されている地図帳のページを示すページ番号とを前記表示部に表示させる表示制御手段とを備えることを特徴とする。
【００１８】
【発明の実施の形態】
以下、本発明の一実施の形態を図に従って説明する。
【００１９】
[第１の実施の形態]
図１、図２（Ａ）及び図２（Ｂ）に示すように、本実施の形態にかかるシステムは、ＧＰＳ衛星１から送信されるＬ１帯のＣ／Ａコードを受信する携帯端末としての電子手帳２と、この電子手帳２との間でデータの送受信可能な腕時計３とで構成されている。電子手帳２は鞄３等に収容して携帯可能な大きさであり、腕時計３は一般的な腕時計と同様の大きさ及び外部構造である。
【００２０】
図３は、電子手帳２の回路構成を示すブロック図であり、電子手帳２は、位置データ受信部２０を有している。この位置データ受信部２０は、ＧＰＳアンテナ２０Ａ、及びＧＰＳアンテナ２０Ａにより受信したＧＰＳ衛星１からのＬ１帯のＣ／Ａコードを復調・解読して現在位置の緯度・経度を割り出すＧＰＳモジュール２０Ｂを有しており、ＧＰＳモジュール２０Ｂにより割り出された緯度・経度の情報はＣＰＵ２１に取り込まれる。ＣＰＵ２１は、この電子手帳２の各部を制御するものであって、入力部２２、報知部２３、送受信部２４、ＲＯＭ２５、ＲＡＭ２６、及び表示部２７が接続されている。
【００２１】
入力部２２は、電源スイッチ２２Ａが設けられている他、電子手帳２として機能するために必要な文字入力キー２２Ｂ等や、ＧＰＳ装置として機能するために必要な地図表示、送信モードキー２２Ｃ、時刻表示モードキー２２Ｄ、その他の各種操作キー２２Ｅが設けられている。さらに、入力部２２には、表示部２７に積層されてペンＰ（図１１参照）のタッチ位置を検出するタッチセンサ２７Ａが設けられている。報知部２３は、放音により報知を行うスピーカ２３Ａ等あるいは、振動により報知を行うバイブレータ２３Ｂ等で構成されている。また、送受信部２４は、後述する腕時計３の送受信部３０と送受信を行うものであって、電磁誘導コイル２４ａを具備している。ＲＯＭ２５には、ＣＰＵ２１が各部を制御するに必要なシステムプログラムが記憶されているとともに、後述する各データが記憶されている地図データエリア２５ａと対応エリア２５ｂとが設けられている。ＲＡＭ２６は、ＣＰＵ２１のワークエリアとして使用されるのみならず、後述する記憶エリアが設けられており、表示部２７は、ＬＣＤ及びＬＣＤ駆動回路等で構成されている。
【００２２】
図４は、腕時計３の回路構成を示すブロック図であり、各部を制御するＣＰＵ３１には、送受信部３０、入力部３２、時計部３３、報知部３４、ＲＯＭ３５、ＲＡＭ３６及び表示部３７が接続されている。送受信部３０は、前記電子手帳２の送受信部２４との間でデータの送受信を行うものであって、電磁誘導コイル３０ａを備えている。入力部３２は、腕時計３として機能するために必要な時刻修正キー等や、位置表示を行うために必要な各種の操作キーが設けられている。時計部３３は、所定周波数のクロック信号を分周して現在年月日及び時刻を計時し、ＣＰＵ３１に入力するものである。報知部３４は、放音により報知を行うスピーカ３４Ａ等あるいは、振動により報知を行うバイブレータで構成され、ＲＯＭ３５には、ＣＰＵ３１が各部を制御するに必要なシステムプログラムが記憶されており、ＲＡＭ３６は、ＣＰＵ２１のワークエリアとして使用される。また、表示部３７は、ＬＣＤ及びＬＣＤ駆動回路等で構成されており、前記電子手帳２の表示部２７よりも遥かに小さい表示面積を有している。
【００２３】
前記電子手帳２のＲＯＭ２５に設けられている地図データエリア２５ａには、図５に示すように、第１ページから第ｎページまでの各ページ毎の地図データ４０が格納されている。これら地図データ４０は、２図（Ｂ）に示す紙の地図帳ＫＴの各ページと対応している。各地図データ４０は、紙の地図帳ＫＴの各ページに印刷された地図と対応しており、同地図帳ＫＴと同様、横軸のＡ〜Ｄ区分及び縦軸の１〜４区分で区画された１６個の矩形からなる地域図Ｔ１〜Ｔ１６で構成されている。また、各地図データ４０には、各地域図Ｔ１〜Ｔ１６の四隅の位置データ（Ｘ，Ｙ）が緯度・経度により記憶されている。つまり、横軸区分が“Ａ”で縦軸区分が“１”である地域図Ｔ１の場合、左上部の緯度経度（Ｘ１，Ｙ１）、左下部の緯度経度（Ｘ２，Ｙ１）、右上部の緯度・経度（Ｘ１，Ｙ２）、右下部の緯度・経度（Ｘ２，Ｙ２）が記憶されており、他の地域図についても同様に位置データが緯度・経度で記憶されているのである。
【００２４】
電子手帳２のＲＯＭ２５に設けられている対応エリア２５ｂには、図６に示すように、ページエリア２５１、記号エリア２５２、位置データエリア２５３、地域図ＮＯ．エリア２５４、及び地域名エリア２５５が設けられている。ページエリア２５１には、前記地図データ４０の各ページ番号が記憶されており、記号エリア２５２には、当該ページ番号の地図データに含まれている地域図を特定する横軸のアルファベットと縦軸の数値とが記憶されている。位置データエリア２５３には、当該地域図の最大緯度（つまり左上部と右上部の緯度）と最小緯度（左下部と右下部の緯度）、及び最大経度（つまり左上部と左下部の緯度）と最小経度（右上部と右下部の緯度）とが記憶されている。地域図ＮＯ．エリア２４５には、当該地域図のＮＯ．（Ｔ１、Ｔ２、・・・）が記憶され、地域名エリア２５５には、当該地域図の地域名（能登半島等）が記憶されている。
【００２５】
また、電子手帳２のＲＡＭ２６には、図７（Ａ）に示すように、ＣＰＵ２１のワーク用である電子手帳のＲＡＭエリア２６ａ、取得した現在位置データ（緯度・経度）を格納する現在位置データエリア２６ｂ、この現在位置データが属する地域図のデータ（ＮＯ．Ｔ１〜Ｔｎ）を格納する地域図データエリア２６ｃ、当該地域図が属する地図のページと、前記アルファベット及び数値を格納する地域図データの記号格納エリア２６ｄ、地域図の地域名を格納する地域名エリア２６ｅ、各ページ全体の地図データ、記号、現在位置マーク等の表示部２７に供給する表示用データを格納する表示用データエリア２６ｆが設けられている。
【００２６】
他方、腕時計３のＲＡＭ３６にも、図７（Ｂ）に示すように、同様の各エリアが設けられている。すなわち、ＣＰＵ３１のワーク用である腕時計のＲＡＭエリア３６ａ、取得した現在位置データ（緯度・経度）を格納する現在位置データエリア３６ｂ、この現在位置データが属する地域図のデータ（ＮＯ．Ｔ１〜Ｔｎ）を格納する地域図データエリア３６ｃ、当該地域図が属する地図のページと前記アルファベット及び数値を格納する地域図データの記号格納エリア３６ｄ、地域図の地域名を格納する地域名エリア３６ｅ、地域図データ（地域図の地図データ）、記号、現在位置マーク等の表示部２７に供給する表示用データを格納する表示用データエリア３６ｆが設けられている。
【００２７】
図８は、電子手帳２から腕時計３にデータを送信する際の送信フォーマットを示すものであり、本実施の形態において送信フォーマット（Ａ）と（Ｂ）とが用いられる。送信フォーマット（Ａ）は、画像データＧと文字データＭとで構成され、画像データＧは、Ｔ１〜Ｔｎのいずれか一つの地域図データＧＡであり、文字データＭは当該地域図が属するページ、アルファベット、数値の各記号データＭＡと、現在位置を示す緯度・経度の位置データＭＢとからなる。
【００２８】
送信フォーマット（Ｂ）は、文字データＭのみで構成され、この文字データＭは当該地域図が属するページ、アルファベット、数値の各記号データＭＡと、現在位置を示す緯度・経度の位置データＭＢとからなる。
【００２９】
以上の構成にかかる本実施の形態において、まず、電子手帳２側の処理について説明すると、この電子手帳２のＣＰＵ２１はＲＯＭ２５に格納されているプログラムに基づき、図９に示すフローチャートに従って動作する。
【００３０】
すなわち、地図表示・送信モードキー２２Ｃの操作により地図表示・送信モードが設定されるまで待機し（ステップＳＡ１）、地図表示・送信モードが設定されたならば、ＧＰＳ衛星１からの現在位置データを位置データ受信部２０にて受信してこれを取り込み、ＲＡＭ２６の現在位置データエリア２６ｂに格納するとともに、報知部２３を動作させて位置データを取得したことを報知する（ステップＳＡ２）。
【００３１】
次に、この取得した現在位置（緯度・経度）に属する地図データのページを、ＲＯＭ２５の対応エリア２５ｂの位置データに基づいて検索する（ステップＳＡ３）。すなわち、図６に示したように、電子手帳２のＲＯＭ２５に設けられている対応エリア２５ｂには、ページエリア２５１に前記地図データ４０の各ページ番号が記憶されており、位置データエリア２５３に当該地域図の最大緯度と最小緯度、及び最大経度と最小経度とが記憶されている。よって、位置データエリア２５３を検索して、取得した現在位置の緯度・経度が、共に最大緯度と最小緯度内であって最大経度と最小経度内である行を検索した後、ページエリア２５１から対応するページ番号を読み出す（ステップＳＡ４）。
【００３２】
引き続き、この検索されたページに対応する地図データ４０をＲＯＭ２５の地図データエリア２５ａ（図５）から、その記号（アルファベット、数値）とともに読み出してＲＡＭ２６の表示用データエリア２６ｆに格納する（ステップＳＡ４）。さらに、当該ページの全体の地図と記号とを表示部２７に表示させるとともに、取得した現在位置に対応する位置に現在位置マークＧＭを表示する（ステップＳＡ５）。このステップＳＡ５での処理により、図１１に示すように、電子手帳２の表示部２７には、現在位置が属するページの地図が表示されるとともに、現在位置に対応する位置に現在位置マークＧＭが表示される。
【００３３】
次に、この表示された地図ＴＺ上においていずれかの地域図へのペンタッチがなかったか否かを判別し（ステップＳＡ６）、ペンタッチがあった場合には、後述するペンタッチ処理（ステップＳＡ１２）を行う。しかし、ペンタッチがない場合には、現在位置に属する地域図データ、それの記号（ページ、アルファベット、数値）、地域名を抽出し、ＲＡＭ２６の対応するエリア２６ｂ〜２６ｅに格納するとともに、報知部２３を動作させて抽出を完了したことを報知する（ステップＳＡ７）。
【００３４】
引き続き、電磁誘導コイル２４ａの誘導起電力（データ要求信号）が所定位置以上であるか否かを判別する（ステップＳＡ８）。このとき、図１に示したように、ユーザＵが、鞄４内に携帯している電子手帳２に、腕時計３を装着している腕を接近すると、電子手帳２側の誘導コイル２４ａと腕時計３側の誘導コイル３０ａとが近接し、ことれにより、両者の誘導起電力が所定値以上となると、ステップＳＡ８からステップＳＡ９に進み、送信しようとする記号が前回と同じであるか否かを判別する（ステップＳＡ９）。
【００３５】
このステップＳＡ９での判別の結果、送信しようとする記号が前回と同じであれば、後述するステップＳＡ１１での処理により、当該記号に対応する地域図データは送信済みである。したがって、ステップＳＡ９の判別がＹＥＳである場合には、地域図データは送信する必要がないので、図８のフォーマット（Ｂ）を用いて、現在位置データのみを送信するとともに、送信が完了したならば報知部２３を動作させてこれを報知する（ステップＳＡ１０）。よって、この場合には画像データである地域図データを送信しないので、その分送信に要する時間の短縮を図ることができる。
【００３６】
しかし、ステップＳＡ９での判別の結果、送信しようとする記号が前回と異なった場合は、ユーザＵが前回とは異なる地域へ移動したこと（例えば「Ａ−１」から「Ａ−２」へ）を意味するので、改めて現在位置に属する地域図データ、それの記号等を送信する必要がある。したがって、ステップＳＡ９の判別がＮＯである場合には、図８のフォーマット（Ａ）を用いて、現在位置に属する地域図データ、それの記号等を送信するとともに、送信が完了したならば報知部２３を動作させてこれを報知する（ステップＳＡ１１）。
【００３７】
次に、腕時計３側の処理につき説明すれは、この腕時計３のＣＰＵ３１はＲＯＭ３５に格納されているプログラムに基づき、図１０に示すフローチャートに従って動作する。
【００３８】
すなわち、地域図受信・受信表示モードキー３２Ａによる地域図受信・表示モードが設定されているか否かを判別し（ステップＳＢ１）、該モードが設定されているならば、電磁誘導コイル３０ａの誘導起電力の値が所定値以上であるか否かを判別する（ステップＳＢ２）。このとき、前述したようにユーザＵが携帯している電子手帳２に対し腕時計３を近接させると、電磁誘導コイル３０ａの誘導起電力の値は所定値以上となる。よって、腕時計３は、外部（電子手帳２）からのデータ、つまり現在位置に属する地域図データ、それの記号、現在位置データ等を送受信部３０にて受信して、ＲＡＭ３６の対応するエリア３６ｂ〜３６ｅに格納する（ステップＳＢ３）。
【００３９】
次に、この受信したデータ中に現在の位置データ以外に地域図データを含むか否かを判別する（ステップＳＢ４）。そして、地域図データを含む場合、つまり前述した図９のフローにおけるステップＳＡ１１の処理が行われて、現在位置に属する地域図データ、それの記号等が送信されてきた場合には、現在位置データに対応した現在位置マークを付けて地域図を表示するとともに、記号、地域名も併せて表示し、表示が完了したならば報知部３４を動作させて表示完了を報知する（ステップＳＢ５）。したがって、このステップＳＢ５での処理により、図１２（Ａ）に例示するように、腕時計３の表示部３７には地域図Ｔ１が表示され、この地域図Ｔ１の現在位置に対応する位置に現在位置マークＧＭが表示されるとともに、地域名ＴＭの「能登半島」、ページＰＧと横軸のアルファベットＡＦと縦軸の記号ＫＧ「１Ａ−１」が表示される。
【００４０】
しかし、ステップＳＢ４での判別の結果、受信したデータが現在位置データのみであった場合、つまり前述した図９のフローにおけるステップＳＡ１０の処理が行われて、現在の位置データのみが送信されてきた場合には、現在表示中の地域図中に、現在位置データに対応して現在位置マークＧＭを表示し、表示が完了したならば報知部３４を動作させて表示完了を報知する（ステップＳＢ９）。したがって、ステップＳＢ５とステップＳＢ９との処理により、現在位置が表示されている地域図の範囲内であれば、現在位置マークＧＭの位置のみが変化し、現在位置が表示されている地域図の範囲外となった場合には、新たな地域図が表示されて現在位置に対応する位置に現在位置マークＧＭが表示されることとなる。
【００４１】
他方、ステップＳＢ１での判別の結果、地域図受信・表示モードが設定されていない場合には、時刻表示モードキー３２Ｂによる時刻表示モードが設定されているか否かを判別し（ステップＳＢ６）、時刻表示モードが設定されている場合には、日付、曜日を含む現在時刻を表示する処理実行し（ステップＳＢ７）、これにより、表示部３７には図１２（Ｂ）に示すように、現在時刻等が表示されることとなる。また、ステップＳＢ６での判別の結果、時刻表示モードが設定されていない場合には、この腕時計３が有している機能に応じたその他の処理を実行する（ステップＳＢ８）。
【００４２】
他方、前述した図９におけるステップＳＡ１２のペンタッチ処理は、図１３に示すフローチャートに従って行われる。すなわち、ペンタッチされた地域図に対応する記号を抽出してＲＡＭ２６の所定エリアに格納する（ステップＳＣ１）。引き続き、抽出された記号に対応する拡大地域図データをＲＯＭ２５の地図データエリア２５ａから読み出し、ＲＡＭ２６の表示用データエリア２６ｆに格納した後（ステップＳＣ２）、この拡大地域図データに基づく拡大地域図を表示部２７の表示画面一杯に表示する（ステップＳＣ３）。したがって、図１１に示すように、電子手帳２の表示部２７に地域図Ｔ１が表示されている状態で、現在位置の細分された地域図を拡大表示するために、この地域図Ｔ１を構成しているマトリクス状の各ます目の「Ａ−１」から「Ｄ−４」のうち、「Ａ−１」をペンＰによりタッチすると、この地域図「Ａ−１」が、図１４に示すように、最大の表示画面の「Ｔ１−１」〜「Ｔ１−１６」に拡大表示される。よって、例えば登山中の休憩時等においては、ペンタッチ操作で電子手帳２の表示部２７に地域図を拡大表示させることにより、登山ルートを明瞭に確認することが可能となる。
【００４３】
なお、この実施の形態にいては、電子手帳２の送受信部２４に電磁誘導コイル２４ａを設けるようにしたが、位置データ受信部２０に電磁誘導コイル２４ａを設けて、この電磁誘導コイル２４ａをＧＰＳ衛星１からのデータを受信するための受信アンテナとして兼用させるようにしてもよい。
【００４４】
[第２の実施の形態]
図１５（Ａ）及び（Ｂ）は、本発明の他の実施の形態を示すものであり、本実施の形態は基地局５０と、最寄りの基地局５０と交信を行う携帯電話機５１及び腕時計３で構成されている。携帯電話機５１は、ＰＨＳ（Personal Handyhpone Ｓystem）タイプであって、周知のＰＨＳ送受信回路を内蔵しているとともに、図３に示した電子手帳２と同様の回路を内蔵している。また、腕時計３は図４に示した前記実施の形態と同様の回路構成を内蔵している。
【００４５】
かかる実施の形態において、携帯電話機５１は図１６に示すフローチャートに従って動作し、着信に伴って基地局５０から送信元の電話番号を受信して、ＲＡＭ２６の所定エリア２６ｇに格納する（ステップＳＤ１）。この格納された送信元の電話番号ＳＤは表示部２７に表示される。引き続き、報知部２３を動作させて着信を報知し、あるいは表示部２７での「着信」という文字表示により着信を報知した後（ステップＳＤ２）、発信元電話番号に対するグループを認識する（ステップＳＤ３）。すなわち、この携帯電話機５１に設けられている電話帳メモリには、有線で交信を行う固定電話、ＰＨＳ等のグループ毎に電話番号リストが記憶されており、固定電話のグループの場合、電話番号とともに加入者住所が記憶されている。一方、電話番号は、市外局番−市内局番−加入者番号で構成されており、市外局番及び市内局番から、送信元の電話が固定電話であるかＰＨＳ等の移動電話であるかを識別することができる。よって、送信元電話番号の局番から、それが固定電話のグループかＰＨＳのグループかを認識する。
【００４６】
次に、この認識した電話番号リストのグループを読み込み（ステップＳＤ４）、読み込んだ電話番号リストと発信元電話番号との間のマッチングを図った後（ステップＳＤ５）、位置データを読み込む（ステップＳＤ６）。すなわち、発信元電話が固定電話であれば、電話番号に対応する加入者住所を位置データとして読み込む。また、発信元電話がＰＨＳである場合には、着信信号に最寄り（３００ｍ以内）の基地局の位置データが含まれていることから、この基地局の位置データを読み込む。引き続き、位置データに対応する地図ＴＺを表示するとともに、発信元電話の現在位置マークＧＭを表示し（ステップＳＤ７）、これにより携帯電話機５１の表示部２７には、送信元の電話番号ＳＤ、発信元電話機の現在位置ＧＭが地図ＴＺとともに表示されることとなる。
【００４７】
一方、腕時計３は、図１７に示すフローチャートに従って動作し、着信に伴って携帯電話機５１が発信する着信応答信号を受信するまで待機する（ステップＳＥ１）。そして、携帯電話機５１への着信に伴って着信応答信号ＴＯを受信したならば、報知部３４を動作させて着信を報知し、あるいは表示部２７での「着信」という文字表示により着信を報知した後（ステップＳＥ２）、着信応答中の当該携帯電話機５１の位置データを受信して、ＲＡＭ３６の所定エリアに格納する（ステップＳＥ３）。すなわち、この携帯電話機５１はＰＨＳであることから、前述のように最寄りの基地局と交信して、該基地局の位置データを取得しており、よって、この最寄りの基地局の位置データを当該携帯電話機５１の現在の位置データとして、ＲＡＭ３６の所定エリアに格納する。
【００４８】
次に、この格納した位置データとＧＭ地域図ＴＺの記号ＡＦ，ＫＧを表示する（ステップＳＥ４）。したがって、この位置データを視認することにより、着信を受けたユーザは今自分がいる位置を知ることができるとともに、携帯電話機１の表示部で記号ＡＦ，ＫＧに対応する地域図部分を視認することにより、地図上で自分がいる位置を知ることもできる。つまり、この実施の形態によれば、送信元の電話機、ひいては電話をかけている人物の現在位置と自己の現在位置を共に知ることが可能となる。
【００４９】
なお、この実施の形態においては、腕時計側に位置データと地域図の記号のみを表示させるようにしたが、前述した実施の形態と同様に、腕時計３側に地域図を表示させて、該地域図上に現在位置を表示させ、あるいは送信元を示す地域図と現在位置マークとを表示するようにしてもよい。
【００５０】
[第３の実施の形態]
図１８〜２１は、本発明の第３の実施の形態を示すものであり、図１８に示すように、腕時計３側に、ＧＰＳ衛星１（あるいはＦＭ多重放送、ビーコン１Ｂ）からの信号を受信する位置データ受信アンテナ２０Ａが設けられ、図１９及び図２０に示すように、位置データ受信部２０が電子手帳２側ではなく、腕時計３側に設けられている点、前述した実施の形態とは異なっている。
【００５１】
以上の構成にかかる本実施の形態において、まず、腕時計３側の処理について説明すると、この腕時計３のＣＰＵ３１はＲＯＭ３５に格納されているプログラムに基づき、図２１に示すフローチャートに従って動作する。
【００５２】
すなわち、地域図受信・受信表示モードキー３２Ａによる地域図受信・表示モードが設定されているか否かを判別し（ステップＳＦ１）、該モードが設定されているならば、ＧＰＳ衛星１からの現在位置データを位置データ受信部２０にて受信してこれを取り込み、ＲＡＭ３６の現在位置データエリア３６ｂに格納するとともに、報知部３４を動作させて位置データを取得したことを報知する（ステップＳＦ２）。次に、電磁誘導コイル３０ａの誘導起電力の値が所定値以上であるか否かを判別し（ステップＳＦ３）、前述したようにユーザＵが携帯している電子手帳２に対し腕時計３を近接させると、電磁誘導コイル３０ａの誘導起電力の値は所定値以上となる。よって、ステップＳＦ３からステップＳＦ４に進み、前述のステップＳＦ２で得た現在位置データに対応する地域図データを要求する要求信号を送信する。そして、これに応答して電子手帳２側（外部）からデータが送信されてくると、該データ、つまり現在位置に属する地域図データ、それの記号、現在位置データ等を送受信部３０にて受信して、ＲＡＭ３６の対応するエリア３６ｂ〜３６ｅに格納する（ステップＳＦ５）。しかる後に、前述した図１０のフローチャートにおけるステップＢＳ４〜ＳＢ９の処理をステップＳＦ６〜ＳＦ１２で行う。
【００５３】
一方、電子手帳２のＣＰＵ２１はＲＯＭ２５に格納されているプログラムに基づき、図２２に示すフローチャートに従って動作する。
【００５４】
すなわち、地図表示・送信モードキー２２Ｃの操作により地図表示・送信モードが設定されるまで待機し（ステップＳＧ１）、地図表示・送信モードが設定されたならば、電磁誘導コイル２４ａの誘導起電力（データ要求信号）が所定位置以上であるか否かを判別する（ステップＳＧ２）。そして、図１に示したように、ユーザＵが、鞄４内に携帯している電子手帳２に、腕時計３を装着している腕を接近すると、電子手帳２側の誘導コイル２４ａと腕時計３側の誘導コイル３０ａとが近接し、これにより、両者の誘導起電力が所定値以上となると、ステップＳＧ２からステップＳＧ３に進む。そして、ステップＳＧ３〜ＳＧ８では、前述した図９のステップＳＡ２〜ＳＡ７と同様の処理を実行するとともに、ステップＳＧ９〜ＳＧ１１ではステップＳＡ９〜ＳＡ１１と同様の処理を実行するのである。
【００５５】
以上説明したように、この実施例は、第１の電子機器側で、現在の位置データを取得してこれを送信し、第２の電子機器側で、この送信した現在の位置データを受信してこれを表示するようにした。よって、第２の電子機器側にＧＰＳモジュール等を設けておかずとも、表示される位置データにより現在位置を確認することができる。したがって、第２の電子機器の小型化が可能となり、これにより第２の電子機器を腕等の身体に装着することが可能となって、その結果位置確認を容易かつ迅速に行うことが可能となる。
【００５６】
また、第１の電子機器には、地図データを記憶している地図データ記憶手段を設けておくが、第２の電子機器には、同じような地図データ記憶手段を設けておかず、第１の電子機器から現在の位置データとこれに対応する地図データとを送信し、第２の電子機器でこれらを受信して、この送信された地図データに基づく地図と位置データに基づく現在の位置とを表示するようにした。よって、第２の電子機器が大型化を伴うことなく、地図とともに現在位置を表示して明瞭な現在位置表示を行うことができる。
【００５７】
また、第１の電子機器が、第２の電子機器よりも表示面積の大きい表示手段を備えて、この表示手段に地図データに基づく地図と位置データに基づく現在の位置とを表示させる構成とした。よって、第１の電子機器と第２の電子機器とを携帯することにより、通常時は表示手段の表示面積が小さい第２の電子機器により位置確認を行い、必要に応じて表示面積が大きい第１の電子機器により位置確認を行うことができ、これにより迅速な位置確認を可能にしつつ、詳細に位置確認を行うことが可能となる。
【００５８】
また、第１の電子機器で、要求に応じて地図を拡大表示させるようにしたことから、大きな表示面積を有する第１の表示手段で地図が拡大表示されることにより、必要に応じてより詳細に位置確認を行うことが可能なる。
【００５９】
また、第１の電子機器側で、記憶されている地図データのなかから、位置データに対応する地域図データのみを抽出して現在の位置データとともに送信し、第２の電子機器側でこれを受信してこの受信した地域図データに基づく地域図と前記位置データに基づく現在の位置とを表示するようにしたことから、容易、迅速かつより明確に現在位置を把握することが可能となる。
【００６０】
また、第１の電子機器側から、地域図データではなく、その地図データのなかから抽出した地域図データに対応する地図記号データと現在の位置データとのみを送信し、第２の電子機器側でこれらを受信して表示するようにしたことから、画像データである地域図データの送信を伴うことがなく、送信に要する時間の短縮を図ることができ、しかも、第２の電子機器側では受信した地図記号データと現在位置とが表示されることから、地図記号データに基づき紙の地図を参照することにより、現在位置を把握することも可能となる。
【００６１】
また、第２の電子機器側から地図データ、現在の位置データ等のデータの提供を要求するデータ要求信号を送信し、これに応じて第１の電子機器側から前記各データ送信するようにしたことから、第２の電子機器からデータ要求信号が送信された場合にのみ、第１の電子機器から位置データや地図データが送信されることとなり、無用なデータ送信を回避して効率的にデータ送信を行うことができる。
【００６２】
また、データ要求信号の送信、地図データ等の受信を第１及び第２の各電子機器に設けた電磁誘導コイルによる電磁誘導作用にて行うようにし、第１及び第２の電子機器と接近した場合に限り行うようにしている。換言すれば同一人のユーザが第１及び第２の電子機器を必要なときにのみ近接させるようにしている。よって、不使用時における無用なデータ送信を防止することができる。
また、第１の電子機器は携帯可能な電子機器（たとえば、携帯パソコン、携帯電話などの携帯端末又は電子手帳）であり、前記第２の電子機器は、腕に装着するリスト機器（たとえば、腕時計）であれば、電子手帳を鞄等に入れて携帯し、腕時計を腕に装着して携帯することにより、位置確認の都度電子手帳を鞄から取り出すことなく、時間を確認すると同様の感覚で腕時計を視認する容易な操作により、位置確認が可能となる。
【００６３】
【発明の効果】
以上説明したように、請求項１に記載の発明によれば、表示部を備えている地図表示装置において、現在の位置データを取得すると、この取得した現在の位置データを外部の電子機器へ送信するとともに、この現在の位置データに対応する地図データを要求するためのデータ要求信号を外部の電子機器へ送信することができるばかりでなく、送信されたデータ要求信号に従って、前記外部の電子機器から送信された地域図と、当該地域図を特定するアルファベットと数値とからなる記号データとを前記外部の電子機器から受信することができ、この受信された地域図と前記当該地域図を特定するアルファベットと数値とからなる記号データとを表示部に表示させることができる。
請求項２に記載の発明によれば、表示部を備えている地図表示装置において、現在の位置データを取得すると、この取得した現在の位置データを外部の電子機器へ送信するとともに、この現在の位置データに対応する地図データを要求するためのデータ要求信号を外部の電子機器へ送信することができるばかりでなく、送信されたデータ要求信号に従って、前記外部の電子機器から送信された地域図と、当該地域図を特定するアルファベットと数値とからなる記号データと、当該地域図が記載されている地図帳のページを示すページ番号とを前記外部の電子機器から受信することができ、この受信された地域図と、前記当該地域図を特定するアルファベットと数値とからなる記号データと、当該地域図が記載されている地図帳のページを示すページ番号とを表示部に表示させることができる。
このように、本発明の請求項１、２に係る地図表示装置によれば、取得した現在の位置データに対応する地域図と当該地域図を特定するアルファベットと数値とからなる記号データ、又は当該地域図を特定するアルファベットと数値とからなる記号データと当該地域図が記載されている地図帳のページを示すページ番号とを表示部に表示させることができる。
このようにすることができることから、仮に、表示された地域図が極めて小さいがために把握できない場合でも、表示された地域図に代えて、この表示部に表示された当該地域図を特定するアルファベットと数値とからなる記号データ、又は当該地域図を特定するアルファベットと数値とからなる記号データと当該地域図が記載されている地図帳のページを示すページ番号に基づき紙の地図を参照することにより、表示された地域図に対応する紙の地図で明確に把握することができ、これにより、現在位置を容易かつ迅速に把握することが可能となる。
【００６４】
【図面の簡単な説明】
【図１】本発明の第１の実施の形態にかかるシステムの使用例を示すイメージ図である。
【図２】（Ａ）はシステム概要図、（Ｂ）地図帳を示す斜視図である。
【図３】電子手帳のブロック構成図である。
【図４】腕時計のブロック構成図である。
【図５】電子手帳におけるＲＯＭの地図データエリアの構成を示す模式図である。
【図６】電子手帳におけるＲＯＭの対応エリアの構成を示す模式図である。
【図７】（Ａ）は電子手帳のＲＡＭの構成を示す模式図、（Ｂ）は腕時計のＲＡＭの構成を示す模式図である。
【図８】電子手帳から腕時計への送信フォーマットを示す図である。
【図９】電子手帳側の処理を示すフローチャートである。
【図１０】腕時計側の処理を示すフローチャートである。
【図１１】電子手帳側の表示例を示す図である。
【図１２】（Ａ）は腕時計側の地域図受信・表モードにおける表示例、（Ｂ）は時刻表示モードにおける表示例を示す図である。
【図１３】ペンタッチ処理の処理内容を示すフローチャートである。
【図１４】拡大表示例を示す図である。
【図１５】（Ａ）は本発明の第２の実施の形態を示すシステム構成図である。
【図１６】同実施の形態における携帯電話機側の処理を示すフローチャートである。
【図１７】同実施の形態における腕時計側の処理を示すフローチャートである。
【図１８】本発明の第３の実施の形態を示すシステム概要図である。
【図１９】同実施の形態における電子手帳のブロック構成図である。
【図２０】同実施の形態における腕時計のブロック構成図である。
【図２１】腕時計側の処理を示すフローチャートである。
【図２２】電子手帳側の処理を示すフローチャートである。
【符号の説明】
１    ＧＰＳ衛星
２    電子手帳
３    腕時計
２１    ＣＰＵ
２４    送受信部
２４ａ    電磁誘導コイル
２５      ＲＯＭ
２５ａ    地図データエリア
２５ｂ    対応エリア
２７    表示部
３１    ＣＰＵ
３０    送受信部
３０ａ    電子誘導コイル
【図１】
0004081898.tif 000002
【図２】
0004081898.tif 000003
【図３】
0004081898.tif 000004
【図４】
0004081898.tif 000005
【図５】
0004081898.tif 000006
【図６】
0004081898.tif 000007
【図７】
0004081898.tif 000008
【図８】
0004081898.tif 000009
【図９】
0004081898.tif 000010
【図１０】
0004081898.tif 000011
【図１１】
0004081898.tif 000012
【図１２】
0004081898.tif 000013
【図１３】
0004081898.tif 000014
【図１４】
0004081898.tif 000015
【図１５】
0004081898.tif 000016
【図１６】
0004081898.tif 000017
【図１７】
0004081898.tif 000018
【図１８】
0004081898.tif 000019
【図１９】
0004081898.tif 000020
【図２０】
0004081898.tif 000021
【図２１】
0004081898.tif 000022
【図２２】
0004081898.tif 000023